(57)【要約】      （修正有）【課題】絵柄層の光源側の面に補色層を有する透過型スクリーンにおいて、映像光により表示される映像の視認性を抑制することが可能な透過型スクリーンを提供する。【解決手段】光源側から投射された映像光を観察側に透過して映像を表示する透過型スクリーン１００であって、絵柄を有する絵柄層１と、絵柄層の光源側の面に配置された補色層２と、光拡散機能を有する層とを備え、補色層は、絵柄層の絵柄が呈する色に対して補色となる色を呈する絵柄を有し、絵柄層の絵柄および補色層の絵柄は、平面視上重なるよう対応し、絵柄層の補色層側の面と、補色層の絵柄層側の面との間の距離が２０μｍ以下である。【選択図】図１
2018189769.tif 000002
【特許請求の範囲】
【請求項１】
光源側から投射された映像光を観察側に透過して映像を表示する透過型スクリーンであって、
絵柄を有する絵柄層と、
前記絵柄層の光源側の面に配置された補色層と、
光拡散機能を有する層と
を備え、
前記補色層は、前記絵柄層の絵柄が呈する色に対して補色となる色を呈する絵柄を有し、
前記絵柄層の絵柄および前記補色層の絵柄は、平面視上重なるよう対応し、
前記絵柄層の前記補色層側の面と、前記補色層の前記絵柄層側の面との間の距離が２０μｍ以下である透過型スクリーン。
【請求項２】
前記絵柄層の一方の面に、前記補色層が接触するように積層された請求項１に記載の透過型スクリーン。
【請求項３】
前記絵柄層および前記補色層の間に、中間層を備えた請求項１に記載の透過型スクリーン。
【請求項４】
前記映像光が光源側から投射されて観察側に透過した透過光は、Ｌ＊ａ＊ｂ＊表色系のａ＊値およびｂ＊値が、下記式（１）を満たす請求項１から請求項３までのいずれかの請求項に記載の透過型スクリーン。
｜ａ＊２＋ｂ＊２｜≦５        式（１）
【請求項５】
前記映像光が光源側から投射されて観察側に透過した透過光は、Ｌ＊ａ＊ｂ＊表色系のＬ＊値のバラつきが３以下である請求項１から請求項４までのいずれかの請求項に記載の透過型スクリーン。
【請求項６】
前記補色層の絵柄が呈する補色となる色とは、前記絵柄層の絵柄が呈する色の、Ｌ＊ａ＊ｂ＊表色系のａ＊値と、前記補色層の絵柄が呈する色の、Ｌ＊ａ＊ｂ＊表色系のａ＊値との和が、５以下であり、前記絵柄層の絵柄が呈する色の、Ｌ＊ａ＊ｂ＊表色系のｂ＊値と、前記補色層の絵柄が呈する色の、Ｌ＊ａ＊ｂ＊表色系のｂ＊値との和が、５以下である請求項１から請求項５までのいずれかの請求項に記載の透過型スクリーン。
【請求項７】
前記絵柄層と前記補色層との間に、半遮蔽機能を有する光遮蔽層を有する請求項１から請求項６までのいずれかの請求項に記載の透過型スクリーン。
【請求項８】
映像光を出射する映像光源と、
前記映像光源からの前記映像光を透過して観察側に出射する請求項１から請求項７までのいずれかの請求項に記載の透過型スクリーンと
を備えた背面投射型表示装置。
【発明の詳細な説明】
【技術分野】
【０００１】
本発明は、一方の面側から投射された映像光を他方の面側に透過して映像を表示する透過型スクリーン、上記透過型スクリーンを備えた背面投射型表示装置に関する。
【背景技術】
【０００２】
映像や画像を表示する表示装置の１つとして、リアプロジェクション表示装置がある。リアプロジェクション表示装置は、背面側から投射された映像光を透過させる透過型スクリーンを備えており、背面投射型表示装置とも呼ばれる。この透過型スクリーンは、例えば特許文献１〜４に開示されているように、映像光源から投射された映像光を映像光源が備えられる側とは反対側に出射させることで、観察者が視認できる映像を表示することができる。
【０００３】
近年、透過型スクリーンに映像光を投射していない場合にも、観察側から所定の絵柄を表示するという技術が提案されている。当該技術により、透過型スクリーンの意匠性の向上を図ることができる。例えば、特許文献１、２には、透過型スクリーンの観察側の面に所定の絵柄を表示するための絵柄層が配置された構成が開示されている。また、透過型スクリーンの観察側に配置される絵柄層には、光源側に遮光性を有する遮光層が形成され、また、平面視上多数の開口部が形成されることが開示されている。絵柄層の平面視上多数の開口部が形成されることにより、光源側から映像光を投射した際に、当該開口部から映像光を透過して観察側に映像を表示することが可能となる。
【０００４】
上述のような透過型スクリーンは、光源側から映像光を投射した際に、絵柄層に形成された開口部を介して観察側へ映像光を透過することができる。そのため、観察者は、観察側へ透過された映像光により所定の映像を視認することが可能となる。したがって、映像光により表示される映像の視認性を向上するためには、観察側へ透過される映像光の光量を増やす必要がある。観察側へ透過される映像光の光量を増やす方法としては、例えば、絵柄層に形成される開口部を大きく設計する方法が挙げられる。一方、絵柄層に形成される開口部が大きくなるに伴い、光源側から映像光を投射していないときに観察される絵柄層による絵柄の視認性が低下する場合がある。
【０００５】
特許文献４では、絵柄層の光源側に、絵柄層の絵柄が呈する色に対して補色となる色を呈する補色層を設ける技術が開示されている。絵柄層の光源側に補色層を設けることで、光源側から映像光を投射した際に、絵柄層から出射される映像光が、絵柄層の絵柄が呈する色に着色され、映像光により表示される映像の視認性が低下するといった課題を解消することができる。したがって、光源側から投射される映像光を、絵柄層の全面から観察側へ透過することが可能となり、絵柄層に大きな開口部を形成しなくとも、観察側へ透過される映像光の光量を確保することができる。
【先行技術文献】
【特許文献】
【０００６】
【特許文献１】特開２００５−３７８１８号公報
【特許文献２】特開２００７−５２４１１５号公報
【特許文献３】特開２０１３−２１３８８３号公報
【特許文献４】特開２００３−４３５７５号公報
【発明の概要】
【発明が解決しようとする課題】
【０００７】
特許文献４には、光源側から補色層、光拡散層および絵柄層が順に積層された透過型スクリーンが開示されている。そこで、本発明の発明者等は、上記構成を有する透過型スクリーンの視認性について検討を行った。その結果、補色層と絵柄層との間の距離が増えるに伴い、映像光により表示される映像の視認性が低下してしまうという課題を発見した。本発明の発明者等は、上記課題について検討を重ねたところ、上記課題は、補色層と絵柄層との間の距離が増えると、補色層から絵柄層へと透過する映像光が、スクリーン面に対して垂直ではなく斜め方向に入射することにより、補色層の補色パターンと絵柄層の絵柄パターンとの間で位置ずれが生じ、対応した補色層の領域と絵柄層の領域とを映像光が透過しないことに起因するという新たな知見を得た。本発明は、このような新たな知見に基づいてなされたものである。
【０００８】
すなわち、本発明は、絵柄層の光源側の面に補色層を有する透過型スクリーンにおいて、映像光により表示される映像の視認性を抑制することが可能な透過型スクリーンを提供することを主目的とする。
【課題を解決するための手段】
【０００９】
本発明は、光源側から投射された映像光を観察側に透過して映像を表示する透過型スクリーンであって、絵柄を有する絵柄層と、上記絵柄層の光源側の面に配置された補色層と、光拡散機能を有する層とを備え、上記補色層は、上記絵柄層の絵柄が呈する色に対して補色となる色を呈する絵柄を有し、上記絵柄層の絵柄および上記補色層の絵柄は、平面視上重なるよう対応し、上記絵柄層の上記補色層側の面と、上記補色層の上記絵柄層側の面との間の距離が２０μｍ以下である透過型スクリーンを提供する。
【００１０】
本発明によれば、絵柄層の補色層側の面と、補色層の絵柄層側の面との間の距離を２０μｍ以下とすることで、映像光により表示される映像の視認性の低下を抑制することができる。また、補色層が、絵柄層の絵柄が呈する色に対して補色となる色を呈する絵柄を有することにより、補色層および絵柄層を透過する映像光のホワイトバランスを保つことができる。
【００１１】
本発明においては、上記絵柄層の一方の面に、上記補色層が接触するように積層されていることが好ましい。映像光により表示される映像の視認性の低下を、より効果的に抑制することができる。
【００１２】
本発明においては、上記絵柄層および上記補色層の間に、中間層を備えていることが好ましい。中間層が有する機能を付与することが可能となる。
【００１３】
本発明においては、上記映像光が光源側から投射されて観察側に透過した透過光は、Ｌ＊ａ＊ｂ＊表色系のａ＊値およびｂ＊値が、下記式（１）を満たすことが好ましい。補色層および絵柄層を透過する映像光のホワイトバランスをより効果的に保つことができる。
｜ａ＊２＋ｂ＊２｜≦５        式（１）
【００１４】
本発明においては、上記映像光が光源側から投射されて観察側に透過した透過光は、Ｌ＊ａ＊ｂ＊表色系のＬ＊値のバラつきが３以下であることが好ましい。補色層および絵柄層を透過する映像光の明度を均一に保つことができ、映像光により表示される映像の視認性をより効果的に向上させることができる。
【００１５】
本発明においては、上記補色層の絵柄が呈する補色となる色とは、上記絵柄層の絵柄が呈する色の、Ｌ＊ａ＊ｂ＊表色系のａ＊値と、上記補色層の絵柄が呈する色の、Ｌ＊ａ＊ｂ＊表色系のａ＊値との和が、５以下であり、上記絵柄層の絵柄が呈する色の、Ｌ＊ａ＊ｂ＊表色系のｂ＊値と、上記補色層の絵柄が呈する色の、Ｌ＊ａ＊ｂ＊表色系のｂ＊値との和が、５以下であることが好ましい。補色層および絵柄層を透過する映像光のホワイトバランスをより効果的に保つことができる。
【００１６】
本発明においては、上記絵柄層と上記補色層との間に、半遮蔽機能を有する光遮蔽層を有することが好ましい。光遮蔽層を設けることで、絵柄層の絵柄を視認する際に、補色層による、絵柄層の絵柄の視認性に対する影響を抑制することが可能となる。
【００１７】
また、本発明は、映像光を出射する映像光源と、上記映像光源からの上記映像光を透過して観察側に出射する上述の透過型スクリーンとを備えた背面投射型表示装置を提供する。
【００１８】
本発明によれば、上述した透過型スクリーンを有することにより、絵柄層の補色層側の面と、補色層の絵柄層側の面との間の距離を２０μｍ以下とすることで、映像光により表示される映像の視認性の低下を抑制することができる。また、補色層が、絵柄層の絵柄が呈する色に対して補色となる色を呈する絵柄を有することにより、補色層および絵柄層を透過する映像光のホワイトバランスを保つことができる。
【発明の効果】
【００１９】
本発明は、絵柄層の光源側の面に補色層を有する透過型スクリーンにおいて、映像光により表示される映像の視認性を抑制することが可能な透過型スクリーンを提供することができるという効果を奏する。
【図面の簡単な説明】
【００２０】
【図１】本発明の透過型スクリーンを説明するための説明図である。
【図２】本発明における補色を説明するための説明図である。
【図３】本発明における補色を説明するための説明図である。
【図４】本発明の透過型スクリーンを説明するための説明図である。
【図５】本発明の透過型スクリーンを説明するための説明図である。
【図６】本発明の透過型スクリーンを説明するための説明図である。
【図７】従来の透過型スクリーンを説明するための説明図である。
【発明を実施するための形態】
【００２１】
以下、本発明の透過型スクリーンおよび背面投射型表示装置について説明する。
【００２２】
Ａ．透過型スクリーン
本発明の透過型スクリーンは、光源側から投射された映像光を観察側に透過して映像を表示する部材であって、絵柄を有する絵柄層と、上記絵柄層の光源側の面に配置された補色層と、光拡散機能を有する層とを備え、上記補色層は、上記絵柄層の絵柄が呈する色に対して補色となる色を呈する絵柄を有し、上記絵柄層の絵柄および上記補色層の絵柄は、平面視上重なるよう対応し、上記絵柄層の上記補色層側の面と、上記補色層の上記絵柄層側の面との間の距離が２０μｍ以下である部材である。
【００２３】
本発明の透過型スクリーンは、観察者側から見てその中央が窪むような凹状の曲面、すなわち光源側に凸となる曲面を有するように湾曲して形成されていても良く、湾曲していなくても良い。なお、本明細書で示す図面は、いずれも透過型スクリーンが湾曲していない例である。
【００２４】
以下、本発明の透過型スクリーンを、図面等を参照しながら説明する。但し、本発明は多くの異なる態様で実施することが可能であり、以下に例示する実施の態様の記載内容に限定して解釈されるものではない。また、図面は説明をより明確にするため、実施の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２５】
図１（ａ）は、本発明の透過型スクリーンを用いた背面投射型表示装置の一例を示す概略模式図である。また、図１（ｂ）は、図１（ａ）に示す透過型スクリーン１００の概略断面図である。本発明の透過型スクリーンは、図１（ａ）に例示するように、透過型スクリーン１００の一方の面側から、映像光源１０から投射された映像光Ｌ１０を他方の面側に透過して映像を表示することができる。他方の面側から観察者２０が透過型スクリーン１００を観察することで、観察者２０は、当該映像を視認することができる。
【００２６】
図１（ａ）、（ｂ）に示すように、本発明の透過型スクリーン１００は、映像光を投射していない場合にも、観察側から所定の絵柄を表示することができる。具体的には、観察側から照射された外光Ｌ２０が、透過型スクリーン１００における絵柄層１に反射することで、観察者２０は、絵柄層１により表示される絵柄を視認することができる。
【００２７】
本発明の透過型スクリーン１００は、図１（ｂ）に示すように、絵柄を有する絵柄層１と、絵柄層１の光源側の面に配置された補色層２とを備える。また、絵柄層１の補色層２側の面と、補色層２の絵柄層１側の面との間の距離ｔが２０μｍ以下である。さらに、図１（ｂ）に示す透過型スクリーン１００は、光拡散機能を有する層６が、絵柄層１と一体として形成されている例である。なお、光拡散機能を有する層が絵柄層と一体として形成されることについては、後述するため、ここでの説明は省略する。
【００２８】
本発明において、上記「補色層は、絵柄層の絵柄が呈する色に対して補色となる色を呈する絵柄を有する。さらに、補色層が有する絵柄は、絵柄層の絵柄と平面視上重なるように対応する。」とは、次のような意味を有する。すなわち、まず、本発明における補色層は、例えば、図２（ａ）の点線で示すように、後述する絵柄層１が有する絵柄と、平面視上重なるように同一の絵柄を有する。換言すると、補色層２が有する絵柄は、絵柄層１の絵柄と平面視上重なるように対応する。なお、図２（ａ）における絵柄層１および補色層２は、星の絵柄を有する例である。ここで、絵柄層１が有する星の絵柄の外側の色を符号Ｃ１ａで示し、絵柄層１が有する星の絵柄の内側の色を符号Ｃ１ｂで示す。また、補色層２が有する星の絵柄の外側の色を符号Ｃ２ａで示し、補色層２が有する星の絵柄の内側の色を符号Ｃ２ｂで示す。本発明においては、このとき、絵柄層１が呈する色Ｃ１ａと、補色層２が呈する色Ｃ２ａとは互い補色関係にあり、絵柄層が呈する色Ｃ１ｂと、補色層２が呈する色Ｃ２ｂとは互い補色関係にあることを意味する。なお、図２（ａ）、（ｂ）は、光拡散機能を有する層６として、補色層２の絵柄層１とは反対側の面に光拡散層を備えた例である。
【００２９】
本発明において、「補色関係にある」とは、第１色および第２色を、白色光が透過した際に、無彩色に見える関係を言う。なお、以下、絵柄層の色および補色層の色を、それぞれ第１色および第２色と称して説明する。ここで、「無彩色」には、白色、灰色または黒色が含まれる。また、「補色関係にある」とは、例えば、マンセル色相環において対向する位置にある色の関係を言う。なお、「マンセル色相環において対向する位置」とは、正反対の位置のみではなく、当該正反対の色に隣接する色も含む。「第１色と第２色とが補色関係にある」ことの具体例としては、例えば、第１色が青であるときに、第２色が黄である関係や、第１色が赤であるときに、第２色が緑である関係等が挙げられる。
【００３０】
また、本発明において「補色関係にある」とは、例えば、国際照明委員会（ＣＩＥ）が策定したＬ＊ａ＊ｂ＊表色系を用いて、以下の関係にあることが好ましい。
【００３１】
すなわち、本発明において、映像光が光源側から投射されて、補色層および絵柄層を含む各層を透過した透過光が、Ｌ＊ａ＊ｂ＊表色系のａ＊値およびｂ＊値が、下記式（１）を満たすことが好ましい。
｜ａ＊２＋ｂ＊２｜≦５        式（１）
したがって、例えば、図２（ｂ）に示すように、光源側から投射された映像光Ｌ１０が、補色層２および絵柄層１を透過したときの透過光Ｌ１０ａ、Ｌ１０ｂは、それぞれＬ＊ａ＊ｂ＊表色系のａ＊値およびｂ＊値が、上記式（１）を満たすことが好ましい。なお、図２（ｂ）は、図２（ａ）のＡ−Ａ線断面図である。また、図２（ａ）、（ｂ）では、絵柄層１および補色層２を有する例を示しているが、例えば、図１（ｂ）に示すように、光遮蔽層３や透明基材４を有していても良い。本発明の透過型スクリーンが、図１（ｂ）に示すように、絵柄層１、補色層２、光遮蔽層３および透明基材４を有する４層で構成されている場合には、当該４層を透過した透過光について、Ｌ＊ａ＊ｂ＊表色系のａ＊値およびｂ＊値が、上記式（１）を満たすことが好ましい。
【００３２】
なお、本発明において、映像光が光源側から投射されて観察側に透過した透過光の、Ｌ＊ａ＊ｂ＊表色系のａ＊値およびｂ＊値は、例えば、可視光領域の分光透過率から算出できる。分光透過率は、例えば、日本分光製Ｖ−７１００  紫外可視分光光度計を用いて測定することができる。
【００３３】
本発明において、映像光が光源側から投射されて観察側に透過した透過光は、Ｌ＊ａ＊ｂ＊表色系のａ＊値およびｂ＊値が、上記式（１）を満たすことが好ましいが、中でも、下記式（２）を満たすことが好ましい。
｜ａ＊２＋ｂ＊２｜≦３          式（２）
【００３４】
本発明においては、絵柄層の補色層側の面と、補色層の絵柄層側の面との間の距離を２０μｍ以下とすることで、次のような効果を奏する。
【００３５】
まず、上述した特許文献４には、光源側から補色層、光拡散層および絵柄層が順に積層された透過型スクリーンが開示されている。そこで、本発明の発明者等は、上記構成を有する透過型スクリーンの視認性について検討を行った。その結果、例えば、図７に示す従来の透過型スクリーン１００’のように、補色層２と絵柄層１との間の距離ｔが増えるに伴い、映像光Ｌ１０により表示される映像の視認性が低下してしまうという課題を発見した。本発明の発明者等は、上記課題について検討を重ねたところ、上記課題が発生する理由について、以下のような知見を得た。
【００３６】
ここで、図７において、絵柄層１が呈する色Ｃ１ａと、補色層２が呈する色Ｃ２ａとは互い補色関係にあり、絵柄層が呈する色Ｃ１ｂと、補色層２が呈する色Ｃ２ｂとは互い補色関係にあることを意味する。また、図７に示すように、補色層２から絵柄層１へと透過する映像光Ｌ１０には、透過型スクリーン１００’に対して垂直に透過する映像光Ｌ１０ａや、透過型スクリーン１００’に対して斜め方向に透過する映像光Ｌ１０ｂ、Ｌ１０ｃがある。さらに、図７で説明していない符号については、図１（ａ）、（ｂ）と同様とすることができるため、ここでの説明は省略する。
【００３７】
補色層２を有する透過型スクリーン１００’は、本来、補色層２を透過した映像光Ｌ１０が、対応する絵柄層１を透過するため、当該映像光Ｌ１０は、互いに補色関係にある色Ｃ１ａおよび色Ｃ２ａ、または色Ｃ１ｂおよび色Ｃ２ｂを呈する領域を透過することとなり、補色層２を設けることによる所定の効果を得ることができる。しかしながら、図７に示すように、透過型スクリーン１００’において、補色層２と絵柄層１との間の距離ｔが増えると、透過型スクリーン１００’に対して斜め方向に透過する映像光Ｌ１０ｂ、Ｌ１０ｃは、互いに補色関係にある色を呈する補色層２の領域と絵柄層１の領域とを透過しなくなる場合がある。これは、補色層と絵柄層との間で映像光Ｌ１０ｂ、Ｌ１０ｃが屈折することに起因すると推測される。
【００３８】
そこで、本発明の発明者等は、上記知見に基づいて検討を重ねた。その結果、絵柄層の補色層側の面と、補色層の絵柄層側の面との間の距離を２０μｍ以下とすることで、例えば図７に示すように、透過型スクリーン１００’に対して斜め方向に透過する映像光Ｌ１０ｂ、Ｌ１０ｃが、互いに補色関係にある色を呈する補色層２の領域と絵柄層１の領域とを透過しなくなるといった不具合の発生を抑制することができることが分かった。換言すると、図２（ｂ）に示す映像光Ｌ１０ｃのように、絵柄層１の補色層２側の面と、補色層２の絵柄層１側の面との間の距離を２０μｍ以下とすることで、映像光Ｌ１０ｃが屈折したとしても、上述のような不具合の発生を抑制することができることが分かった。
【００３９】
本発明においては、絵柄層の補色層側の面と、補色層の絵柄層側の面との間の距離が２０μｍ以下であれば良い。したがって、本発明においては、例えば、図２（ｂ）に示すように、絵柄層１の一方の面に、補色層２が接触するように積層されていても良く、あるいは、図１（ｂ）に示すように、絵柄層１および補色層２の間に、中間層３０を備えていても良い。なお、図１（ｂ）は、中間層３０が光遮蔽層３である例である。
【００４０】
本発明においては、絵柄層の補色層側の面と、補色層の絵柄層側の面との間の距離が２０μｍ以下であれば良いが、中でも、１０μｍ以下であることが好ましく、特に５μｍ以下であることが好ましい。さらに本発明においては、絵柄層の一方の面に、補色層が接触するように積層されていることが好ましい。補色層と絵柄層との間の距離が増えるに伴って発生する上記課題の発生を効果的に抑制することができ、映像光により表示される映像の視認性の低下を十分に抑制することができる。なお、絵柄層と補色層との間に中間層を備える場合には、絵柄層の補色層側の面と、補色層の絵柄層側の面との間の距離は、中間層の種類に応じて適宜調整することができる。
【００４１】
ここで、「中間層」とは、絵柄層と補色層との間に備えられる部材を指し、中間層は１層であっても良く、複数層であっても良い。このような中間層としては、透過型スクリーンに用いられる部材であれば良く、特に限定されないが、例えば、図１（ｂ）に示す光遮蔽層３や、図示はしないが光拡散層等が挙げられる。なお、光遮蔽層や光拡散層、その他の部材については後述するため、ここでの記載は省略する。
【００４２】
また、本発明においては、絵柄層の光源側の面に補色層を有し、当該補色層が、絵柄層の絵柄が呈する色に対して補色となる色を呈する絵柄を有することにより、次のような効果を奏する。すなわち、従来、透過型スクリーンに対して光源側から映像光を投射していないときに、観察者に所定の絵柄を表示するための絵柄層を設ける技術が提案されている。このとき、絵柄層には、映像光を観察側へ透過するための開口部が設けられ、また、絵柄層の光源側には遮光層を設け、映像光が絵柄層を透過しない設計となる。これは、映像光が絵柄層を透過した際に、絵柄層が有する絵柄や色合いにより、映像光が表示しようとする映像の視認性が低下してしまうといった問題の発生を抑制することを目的としている。そのため、映像光を観察側へ透過するためには、開口部として所定の大きさを確保する必要があるが、開口部が大きすぎると、絵柄層が表示しようとする絵柄の視認性が低下するという問題が生じる。一方、開口部が小さすぎると、映像光を観察側へ十分に透過することができず、映像光の利用効率が低下するという問題が生じる。
【００４３】
これに対し、本発明においては、絵柄層の光源側の面に補色層を設けて、映像光を補色層および絵柄層を透過させることで、映像光の利用効率の低下を抑制することができる。また、補色層が、絵柄層の絵柄が呈する色に対して補色となる色を呈する絵柄を有することにより、補色層および絵柄層を透過する映像光のホワイトバランスを保つことができる。したがって、上述した従来の透過型スクリーンのように、映像光が表示しようとする映像の視認性の低下を抑制することができる。
【００４４】
なお、上記「ホワイトバランスを保つ」とは、具体的には、補色層および絵柄層を透過する映像光のＬ＊ａ＊ｂ＊表色系のａ＊値およびｂ＊値が、上記式（１）を満たすことを意味する。上記式（１）については上述したため、ここでの説明は省略する。
【００４５】
また、本発明においては、上記映像光が光源側から投射されて観察側に透過した透過光は、Ｌ＊ａ＊ｂ＊表色系のＬ＊値のバラつきが１０以下であることが好ましい。上述したように、映像光が光源側から投射されて観察側に透過した透過光の、透過型スクリーン上でのバラつきが所定の範囲内であることにより、絵柄層により表示される絵柄の明度を均一に保つことができ、絵柄層により表示される絵柄の視認性を向上することができる。本発明においては、中でも、上記映像光が光源側から投射されて観察側に透過した透過光は、Ｌ＊ａ＊ｂ＊表色系のＬ＊値のバラつきが、５以下であることが好ましく、特に３以下であることが好ましい。なお、「映像光が光源側から投射されて観察側に透過した透過光は、Ｌ＊ａ＊ｂ＊表色系のＬ＊値のバラつきが３以下である」とは、透過型スクリーンにおいて、任意の領域から透過された透過光のＬ＊値を測定したときに、得られたＬ＊値の差が、いずれの領域においても３以下であることを指す。これは、Ｌ＊ａ＊ｂ＊表色系のＬ＊値のバラつきが、１０以下または５以下である場合も同様である。
【００４６】
なお、本発明において、映像光が光源側から投射されて観察側に透過した透過光の、透過型スクリーン上でのバラつきは、例えば、可視光領域の分光透過率から算出できる。分光透過率は、例えば、日本分光製Ｖ−７１００  紫外可視分光光度計を用いて測定することができる。
【００４７】
以下、本発明の透過型スクリーンについて詳細に説明する。
【００４８】
１.補色層
本発明における補色層は、絵柄層の光源側の面に配置される部材である。また、補色層は、絵柄層の絵柄が呈する色に対して補色となる色を呈する絵柄を有する。さらに、補色層が有する絵柄は、絵柄層の絵柄と平面視上重なるように対応する。
【００４９】
本発明における補色層は、絵柄層の絵柄が呈する色に対して、補色となる色を選択する。ここで、本発明において「補色となる色」とは、例えば、Ｌ＊ａ＊ｂ＊表色系のＬ＊、ａ＊およびｂ＊の３つの軸から構成される色空間からも表すことができる。すなわち、「補色となる色」とは、Ｌ＊ａ＊ｂ＊表色系の色空間において第１色をプロットしたときに、第２色が第１色のプロットと点対象となる位置にプロットされることを意味する。図３（ａ）は、Ｌ＊ａ＊ｂ＊表色系の色空間を示す模式図である。図３（ａ）は、色空間を、Ｌ＊、ａ＊およびｂ＊の３つの軸により３次元で表している。一方、本発明において「補色となる色」を表わすときには、ａ＊およびｂ＊の２つの軸により２次元で表したときの点対象とすることができる。例えば、図３（ｂ）に示すように、ａ＊およびｂ＊の２つの軸により２次元で表したとき、第１色のａ＊値およびｂ＊値が符号Ｃで示すプロットとすると、第１色の補色となる第２色のａ＊値およびｂ＊値は、第１色の符号Ｃで示すプロットの点対象となる符号Ｃ’で示すプロットとなる。
【００５０】
本発明において、絵柄層の絵柄が呈する色に対して補色となる色を選択する方法としては、例えば、次のような方法が挙げられる。すなわち、絵柄層の絵柄が呈する色と、補色層の絵柄が呈する色とを、それぞれ第１色および第２色としたとき、第１色と第２色とのａ＊値の和が０に近い値となり、かつ第１色と第２色とのｂ＊値の和が０に近い値となるように、補色層の絵柄が呈する色を選択する方法が挙げられる。より具体的には、第１色のａ＊値と第２色のａ＊値とのａ＊値の和が、５以下であることが好ましく、中でも３以下であることが好ましく、特に０であることが好ましい。また、第１色のｂ＊値と第２色のｂ＊値との和が、５以下であることが好ましく、中でも３以下であることが好ましく、特に０であることが好ましい。第１色のａ＊値と第２色のａ＊値との和が上述した数値範囲であり、かつ第１色のｂ＊値と第２色のｂ＊値との和が上述した数値範囲であることにより、補色層の絵柄が呈する色を、絵柄層の絵柄が呈する色の補色とすることができる。換言すると、絵柄層の絵柄が呈する色と、補色層の絵柄が呈する色とを、より精度の高い補色関係とすることができる。
【００５１】
本発明においては、映像光が光源側から投射されて観察側に透過した透過光の、透過型スクリーン上でのバラつきが、少ないことが好ましい。映像光源により表示される映像の視認性を向上させることができる。本発明において、透過型スクリーン上での透過光のバラつきを抑えるために、絵柄層に対し、次のような条件を満たす補色層を選択することが好ましい。すなわち、映像光が光源側から投射されて観察側に透過した透過光について、Ｌ＊ａ＊ｂ＊表色系のＬ＊値のバラつきが３以下となるような補色層を選択することが好ましい。
なお、分光透過率を基準に考えると、対応する絵柄層と補色層と分光透過率の和が、可視光領域において一定であることが好ましい。一定の範囲については、波長分散によって透過率の範囲が異なるため、詳細に規定できるものではない。そのため、分光透過率からＬ＊ａ＊ｂ＊表色系の各値を算出し、各値が所望の範囲に収まることが好ましい。また、絵柄層と補色層との間に中間層を設ける場合は、映像光が中間層を透過することを考慮する必要がある。そのため、絵柄層に対応する補色層を選択する際には、補色層および中間層を透過した透過光について上述のように検討する必要がある。
【００５２】
本発明における補色層が有する絵柄は、絵柄層の絵柄と平面視上重なるように対応するため、絵柄層の絵柄と同じ絵柄となる。したがって、後述する絵柄層の絵柄に応じて適宜選択される。ここで、本発明における「絵柄」としては、例えば、パターン、線画、文字、図形、記号等が挙げられる。また、本発明においては、補色層が単色を呈している場合にも、絵柄を有することとする。
【００５３】
本発明における補色層は、通常、所定の透過率を有する部材である。補色層が所定の透過率を有することで、光源側から映像光を投射した際に、映像光が補色層を透過することができる。補色層が有する所定の透過率としては、例えば、全光線透過率が５０％以上のであることが好ましく、中でも７０％以上であることが好ましく、特に８０％以上であることが好ましい。透過型スクリーンに映像光を投射した際に、より多くの映像光を観察側に出射することができるため、映像光により表示される映像の視認性が向上する。なお、補色層の全光線透過率は、例えば、ＪＩＳ  Ｋ７３６１−１：１９９７に準拠する方法により測定することができる。
【００５４】
補色層の材料は、所望の絵柄を描画することができるような材料であることが好ましい。本発明においては、通常、印刷法を用いて絵柄が描画される。そのため、補色層の材料には、印刷法に用いることが可能な材料を選択することが好ましい。このような材料としては、例えば、一般的に公知の無機顔料や有機顔料等が挙げられる。
【００５５】
補色層の上記材料には、必要に応じて、充填剤、可塑剤、分散剤、潤滑剤、帯電防止剤、酸化防止剤、防黴剤等の添加剤を適宜用いることができる。
【００５６】
補色層の厚みは、補色層により表示される絵柄や、透過型スクリーンの用途や大きさ等に応じて、適宜調整することができる。補色層の具体的な厚みとしては、例えば、１μｍ以上２０μｍ以下の範囲内であることが好ましく、中でも、１．５μｍ以上１０μｍ以下の範囲内であることが好ましい。
【００５７】
本発明における補色層は、必要に応じてパターン状の開口部を有していても良く、開口部を有していなくても良い。補色層がパターン状の開口部を有する場合、例えば、図４（ａ）、（ｂ）に示すように、絵柄層１にもパターン状の開口部Ｒが形成され、補色層２に形成されるパターン状の開口部Ｒと絵柄層１に形成されるパターン状の開口部Ｒとは、平面視上重なることが好ましい。なお、図４（ｂ）は、図４（ａ）のＢ−Ｂ線断面図である。また、補色層における開口部については、後述する「２．絵柄層」の項に記載する絵柄層の開口部と同様とすることができるため、ここでの記載は省略する。
【００５８】
２．絵柄層
本発明における絵柄層は、絵柄を有する層である。
【００５９】
本発明における絵柄層の絵柄は、上述した補色層の絵柄と平面視上重なるように対応するため、補色層の絵柄と同じ絵柄となる。したがって、絵柄層の絵柄については、上記「１．補色層」の項に記載した内容と同様とすることができるため、ここでの記載は省略する。
【００６０】
また、本発明における絵柄層の透過率、材料、厚み等については、上記「１．補色層」の項に記載した内容と同様とすることができるため、ここでの記載は省略する。
【００６１】
本発明における絵柄層は、必要に応じてパターン状の開口部を有していても良く、開口部を有していなくても良い。絵柄層がパターン状の開口部を有する場合、例えば、図４（ａ）、（ｂ）に示すように、絵柄層１にもパターン状の開口部Ｒが形成され、絵柄層１に形成されるパターン状の開口部Ｒと補色層２に形成されるパターン状の開口部Ｒとは、平面視上重なることが好ましい。また、絵柄層１および補色層２が開口部Ｒを有する場合、当該開口部Ｒに、光拡散層６が配置されていても良く、開口部Ｒと平面視上重なるように別途シート状の光拡散層６が配置されていても良い。なお、光拡散層については後述するため、ここでの記載は省略する。
【００６２】
本発明における絵柄層がパターン状の開口部を有する場合、絵柄層の平面視上、開口部の領域とそれ以外の領域との面積比は、透過型スクリーンに映像光を投射したときに、映像光を観察側へと透過し、観察者が映像を十分に視認することができる程度の面積比であって、かつ、透過型スクリーンに映像光を投射していないときには、観察側から絵柄層により表示される絵柄を、観察者が十分に視認することができる程度の面積比であることが好ましい。そのため、光学機能層の平面視上、開口部の領域とそれ以外の領域との面積比は、透過型スクリーンの用途等に応じて適宜調整することができる。具体的な上記面積比としては、例えば、開口部の領域とそれ以外の領域とが、１：６以上６：１以下の範囲内であることが好ましく、中でも１：４以上４：１以下の範囲内であることが好ましく、特に１：４以上１：１以下の範囲内であることが好ましい。
【００６３】
絵柄層におけるパターン状の開口部の平面視形状は、透過型スクリーンに映像光を投射したときに、映像光を観察側へと十分に透過するという機能を発揮できるような形状であることが好ましい。具体的な開口部の平面視形状としては、例えば円形状や矩形状、格子状等が挙げられる。なお、通常は円形である。また、ここでの円形には、楕円形等も含まれる。さらに、絵柄層における開口部は、通常、多数形成される。そのため、多数ある開口部の平面視形状が同じであっても良く、異なっていても良い。
【００６４】
絵柄層におけるパターン状の開口部の平面視形状の大きさは、上述した面積比を満たす程度の大きさであることが好ましい。開口部の平面視形状が円形である場合の具体的な大きさとしては、例えば、直径を５ｍｍ以下とし、隣接する開口部の間隔を５ｍｍとすることができる。または、直径を０．１ｍｍ以下とし、隣接する開口部の間隔を０．１ｍｍとすることができる。なお、ここで、隣接する開口部の間隔とは、例えば図４（ａ）の符号Ｗで示す距離を指す。一方、絵柄層におけるパターン状の開口部の平面視形状が格子状である場合、開口部の具体的な大きさとしては、例えば、格子の１辺の長さを４ｍｍ以下とすることができる。また、絵柄層におけるパターン状の開口部の平面視形状が短冊形状である場合、開口部の具体的な大きさとしては、例えば、短冊の幅を４ｍｍ以下とし、隣接する短冊状の開口部の間隔を４ｍｍ以下とすることができる。
【００６５】
３．光拡散機能を有する層
本発明においては、光拡散機能を有する層を有する。なお、本発明における光拡散機能を有する層は、独立した層として形成されていても良く、絵柄層や補色層等と一体として形成されていても良い。以下、光拡散機能を有する層が独立した層として形成されている場合、光拡散機能を有する層を、光拡散層と称して説明する場合がある。
【００６６】
本発明における光拡散機能を有する層には、次のような態様が挙げられる。例えば、図５（ａ）に示すように、独立した光拡散層６として、絵柄層１の観察側の面に配置された態様や、図５（ｂ）に示すように、独立した光拡散層６として、透明基材４の光源側の面に配置された態様が挙げられる。さらには、図５（ｃ）に示すように、光拡散機能を有する層６が絵柄層１と一体として形成された態様等が挙げられる。図５（ｃ）に示す態様は、例えば、絵柄層１の観察側の面が、所定の表面粗さを有しており、絵柄層１が光拡散機能を有する態様である。具体的には、絵柄層１として擦りガラスを用いることが好ましい。
【００６７】
また、本発明においては、図示はしないが、光拡散機能を有する層は、絵柄層と補色層との間に配置されていても良く、この場合、絵柄層と光拡散機能を有する層とが一体として形成されていても良く、補色層と光拡散機能を有する層とが一体として形成されていても良い。絵柄層と光拡散機能を有する層とが一体として形成されている場合、または補色層と光拡散機能を有する層とが一体として形成されている場合には、絵柄層または補色層として、例えば、擦りガラスを用いることが好ましい。
【００６８】
さらに、本発明においては、図５（ａ）に示すように、絵柄層１の観察側の面に独立した光拡散層６が配置される場合、光拡散層６は、表面保護層としての機能を有していても良い。すなわち、光拡散層が、後述する表面保護層と一体して形成されていても良い。なお、表面保護層については、後述する「６．表面機能層」の項に記載するため、ここでの記載は省略する。
【００６９】
以下、光拡散機能を有する層が、独立した層、すなわち光拡散層である場合について説明する。
【００７０】
本発明における光拡散層は、通常、光透過性を有する部材である。光拡散層が有する光透過性は、本発明の透過型スクリーンに映像光を投射した際に、映像光が光拡散層を透過することができる程度の光透過性であることが好ましい。ここで、光拡散層の具体的な光透過性としては、例えば、全光線透過率が６０％以上の範囲内であることが好ましく、中でも８０％以上の範囲内であることが好ましく、特に９０％以上の範囲内であることが好ましい。透過型スクリーンに映像光を投射した際に、より多くの映像光を観察側に出射することができるため、映像光により表示される映像の視認性が向上する。なお、光拡散層の全光線透過率は、例えば、ＪＩＳ  Ｋ７３６１−１：１９９７に準拠する方法により測定することができる。
【００７１】
本発明における光拡散層は、例えば、粒子状の光拡散材を透明樹脂中に分散することで得ることができる。なお、本発明においては、透明樹脂を用いた場合について説明するが、透明樹脂の代わりに擦りガラスを含むガラスを用いても良く、さらには、固体に限らず液体や液晶等の流動体を用いることも可能である。
【００７２】
粒子状の光拡散材と透明樹脂とは、互いに異なる屈折率を有する。透明樹脂の屈折率としては、例えば、１．４５以上１．６０以下の範囲内とすることができる。一方、光拡散材の屈折率は、上述した透明樹脂の屈折率との間に所定の差を有していれば良く、透明樹脂の屈折率に応じて適宜選択することができるが、例えば、光拡散材の屈折率は、１．３０以上２．４０以下の範囲内で選択することが好ましく、中でも１．４０以上１．６０以下の範囲内で選択することが好ましい。また、透明樹脂と光拡散材との屈折率差の絶対値としては、例えば、０．０１以上０．２０以下の範囲内とすることが好ましい。屈折率差の絶対値が上記範囲内であることにより、所望のヘイズ値を有する透過型スクリーンを得ることができる。
【００７３】
光拡散層に用いられる透明樹脂は、例えば、光学的な透明性を有する樹脂であれば良く、具体的には、ポリエチレンテレフタレート樹脂や、ポリカーボネート樹脂、メチルメタクリレート・スチレン樹脂、メチルメタクリレート・ブタジエン・スチレン樹脂、アクリル系樹脂、トリアセチルセルロース樹脂、ポリエチレンナフタレート樹脂等が挙げられる。また、これら透明樹脂には、必要に応じて、架橋剤、紫外線吸収剤、酸化防止剤、帯電防止剤、難燃剤、可塑剤、着色剤等の各種添加剤が１種または２種以上添加されていても良い。
【００７４】
光拡散層に用いられる光拡散材としては、例えば、プラスチックビーズ等の有機フィラーが挙げられ、特に、透明度の高い材料が好ましい。プラスチックビーズとしては、例えば、メラミン樹脂製、アクリル樹脂製、アクリロニトリルスチレン樹脂製、ポリカーボネート樹脂製等のものを適用可能である。また、シリコン系ビーズも光拡散材として使用可能である。さらに、所望する拡散機能等に合わせて、これらの光拡散材を適宜選択し、所定の割合で組み合わせる等して使用可能である。
【００７５】
粒子状の光拡散材とは、例えば、球状、扁平状、不定形状、星型形状、金平糖形状等の形状の光拡散材を包含する。また、粒子状の光拡散材は、例えば、中空粒子、コアシェル状粒子であっても良い。
【００７６】
粒子状の光拡散材の平均粒子径は、例えば、１μｍ以上５０μｍ以下の範囲内であることが好ましく、中でも、５μｍ以上３０μｍ以下の範囲内であることが好ましい。粒子状の光拡散材の平均粒子径が上記下限を有することにより、光拡散機能を十分に発揮することができ、光拡散層を映像光が透過して視認される映像の視認性の低下を抑制することができる。また、粒子状の光拡散材の平均粒子径が上記上限を有することにより、光拡散層の光透過性の低下を抑制し、ギラツキによるコントラストの低下を抑制することができる。
【００７７】
光拡散層における粒子状の光拡散材の含有量は、光拡散層に用いられる透明樹脂の屈折率や光拡散材の屈折率、粒子状の光拡散材の平均粒子径、光拡散層の厚み、粒子状の光拡散材の透明樹脂中での分散状態等に応じて適宜調整することができる。例えば、透明樹脂１００質量部に対して、粒子状の光拡散材が０．３質量部以上２０質量部以下の範囲内とすることができ、中でも、１質量部以上１０質量部以下の範囲内であることが好ましい。光拡散層における粒子状の光拡散材の含有量が、上記下限を有することにより、光拡散層が所望の光拡散機能を発揮することが可能となる。また、光拡散層における粒子状の光拡散材の含有量が、上記上限を有することにより、光拡散層の光透過性の低下を抑制することができる。
【００７８】
光拡散層の厚みは、光拡散層に用いられる粒子状の光拡散材の平均粒子径や含有量、透明樹脂の屈折率や光拡散材の屈折率等に応じて適宜調整することができる。本発明においては、光拡散層が所望の光拡散機能を発揮することができる程度の厚みであることが好ましい。具体的な光拡散層の厚みとしては、例えば、０．０５ｍｍ以上１．５ｍｍ以下の範囲内であることが好ましく、中でも０．１ｍｍ以上１．０ｍｍ以下の範囲内であることが好ましい。光拡散層の厚みが上記下限を有することにより、光拡散層が所望の光拡散機能を発揮することができる。また、光拡散層の厚みが上記上限を有することにより、透過型スクリーンに映像光を投射した際に表示される映像がぼやけたり、解像度が低下したりする等の視認性の低下を抑制することができる。
【００７９】
光拡散層は、所定のヘイズ値を有することが好ましい。光拡散層の具体的なヘイズ値としては、例えば、６０％以下の範囲内であることが好ましい。光拡散層のヘイズ値が上記範囲内であることにより、透過型スクリーンに映像光を投射した際に表示される映像がぼやけるといった視認性の低下を抑止することができる。なお、光拡散層のヘイズ値は、例えば、ＪＩＳ  Ｋ７１０５：１９８１に準拠して測定することができる。
【００８０】
本発明における光拡散層の形成方法としては、所望の光拡散性能を有する光拡散層を形成することができる方法であれば特に限定されず、一般的に公知の方法を採用することができる。例えば、透明基材上に、パターン状の開口部を有する金属薄膜層を形成した後、当該金属薄膜層を覆うように、粒子状の光拡散材を透明樹脂へ分散した塗料を、グラビアコート、ロールコート、ビードコート、スプレイコート、インクジェット等公知の方法を用いて塗布し、乾燥させる方法が挙げられる。
【００８１】
４．中間層
本発明における中間層は、絵柄層と補色層との間に配置される部材である。中間層は、単層であっても良く、複数層であっても良い。このような中間層としては、例えば、光遮蔽層や光拡散層等が挙げられる。なお、光拡散層については、上記「３．光拡散機能を有する層」の項で説明した内容と同様とすることができ、光遮蔽層については、後述する「５．光遮蔽層」の項で説明する内容と同様とすることができるため、ここでの記載は省略する。
【００８２】
５．光遮蔽層
本発明においては、絵柄層と補色層との間に、半遮蔽機能を有する光遮蔽層を有していても良い。光遮蔽層は、例えば、図１（ｂ）の符号３で示す部材である。
【００８３】
ここで、「半遮蔽機能」とは、絵柄層と補色層との間に、半遮蔽機能を有する光遮蔽層を配置することで、透過型スクリーンを観察側から観察したときに、絵柄層により表示される絵柄が、補色層が呈する色の影響を受けてしまい、絵柄層の絵柄の視認性が低下するのを抑制することができるとともに、光源側から映像光を投射したときには、当該映像光を完全に遮蔽することなく、観察側へ透過することができるような機能を指す。
【００８４】
本発明における光遮蔽層は、例えば絵柄層により表示される絵柄の色合いが淡色である場合に、好適である。絵柄層により表示される絵柄の色合いが淡色である場合、絵柄が透けるのを抑制するためには、絵柄層の厚みを厚くする必要がある。一方、絵柄層の厚みが厚くなり過ぎると、透過型スクリーンの厚み自体が厚くなってしまう傾向にある。このような場合に、光遮蔽層を設けることで、例えば、絵柄層の厚みを厚くすることなく、絵柄が透けるのを抑制することが可能となる。
【００８５】
半遮蔽機能を有する光遮蔽層の光透過性は、例えば、全光線透過率が、３０％以上９９％以下の範囲内であることが好ましく、中でも５０％以上９５％以下の範囲内であることが好ましく、特に７０％以上９０％以下の範囲内であることが好ましい。光遮蔽層の全光線透過率が上記範囲内であることにより、所望の半遮蔽機能を発揮することができ、光遮蔽層を設けることによる上述した効果を十分に得ることが可能となる。なお、光遮蔽層の全光線透過率は、例えば、ＪＩＳ  Ｋ７３６１−１：１９９７に準拠する方法により測定することができる。
【００８６】
光遮蔽層の材料としては、補色層の影響により、絵柄層により表示される絵柄の視認性が低下するのを抑制することができるような材料であることが好ましい。光遮蔽層の材料としては、例えば、着色材を含有する樹脂材料が挙げられる。なお、光遮蔽層に用いられる着色材の色合いは、絵柄層により表示される絵柄の色合いに応じて適宜選択することができ、特に限定されない。本発明においては、中でも、光遮蔽層が白色を呈することが好ましい。絵柄層により表示される絵柄の色合いに影響を与えることなく、当該絵柄の視認性を向上させることができるからである。なお、具体的な材料については、一般的に公知の着色材であり、例えば光拡散層に用いることができる着色材を適用することができるため、ここでの記載は省略する。さらに、樹脂材料としては、例えば、メチルメタクリレート・ブタジエン・スチレン樹脂、アクリル樹脂、ポリカーボネート樹脂、ポリエチレンテレフタレート樹脂等が挙げられる。
【００８７】
光遮蔽層の厚みは、所望の半遮蔽機能を発揮することができる程度の厚みであることが好ましい。また、光遮蔽層の厚みは、光遮蔽層が呈する色合い等に応じて適宜調整することができる。光遮蔽層の具体的な厚みは、例えば、２０μｍ以下であることが好ましく、中でも１０μｍ以下であることが好ましく、特に５μｍ以下であることが好ましい。
【００８８】
６．透明基材
本発明の透過型スクリーンは、上述した絵柄層および補色層を支持するための透明基材を有していても良い。透明基材は、透過型スクリーンの光源側に配置しても良く、あるいは観察側に配置しても良いが、通常は、例えば図１（ｂ）に示すように、透明基材４を透過型スクリーン１００の光源側に配置する。
【００８９】
本発明における透明基材は、透過型スクリーンに映像光を投射した際に、映像光の透過を妨げない程度の透明性を有することが好ましい。具体的な透明基材の透明性としては、例えば、可視光透過率が８０％以上であることが好ましく、中でも９０％以上であることが好ましい。なお、透明基材の可視光透過率については、例えば、ＪＩＳ  Ｋ７３６１−１に準拠したプラスチック−透明基材の全光透過率の試験方法により測定することができる。
【００９０】
本発明における透明基材の材料としては、上述したような所定の可視光透過率を有する材料を選択することが好ましい。具体的には、ポリエチレンテレフタレート、ポリカーボネート、アクリル樹脂、シクロオレフィン樹脂、ポリエステル樹脂、ポリスチレン樹脂、アクリルスチレン樹脂等の樹脂フィルム、石英ガラス、パイレックス（登録商標）、合成石英板等のガラスが挙げられる。なお、本発明における透明基材は、上述した材料の他にも、必要に応じて紫外線吸収剤、熱線吸収剤等を含んでいても良い。
【００９１】
本発明における透明基材の厚みは、上述した光拡散層および光学機能層を支持することができる程度の厚みを有することが好ましい。具体的な透明基材の厚みとしては、例えば、０．１ｍｍ以上４．０ｍｍ以下の範囲内であることが好ましく、中でも１．０ｍｍ以上２．０ｍｍ以下の範囲内であることが好ましい。透明基材の厚みが上記範囲であることにより、所望の支持性を得ることができ、また、透明基材の厚みが厚すぎることにより迷光が生じて二重像が生じるといった不具合の発生を抑制することができる。
【００９２】
本発明における透明基材は、例えば、透過型スクリーンを転写するための転写基材であっても良い。この場合、例えば図６（ａ）に示す透過型スクリーン１００のように、透明基材４としての転写基材７上に、絵柄層１、補色層２および光遮蔽層３を配置することができる。また、図６（ａ）に示す透過型スクリーン１００は、転写基材７が配置された側を透過型スクリーンの観察側として用いる設計であるため、転写基材７側から絵柄層１、光遮蔽層３および補色層２が積層される。さらに、図６（ａ）に示す透過型スクリーン１００は、図６（ｂ）に示すように、透過型スクリーン１００の光源側の面を、粘着層９を介して被着体４０に貼り付けて用いることができる。透過型スクリーン１００を被着体４０に貼り付けた後は、最終的に転写基材７は剥離される。なお、図６（ａ）、（ｂ）に示すように、透明基材４を転写基材７として用いる場合には、転写基材７の剥離を容易に行うための剥離層８を備えていても良い。また、図６（ａ）、（ｂ）に示すように、透過型スクリーン１００の観察側には、表面機能層５として、絵柄層１の観察側の面を保護するためのハードコート機能を有する表面保護層５ａが配置されていても良い。表面機能層についての説明は後述するため、ここでの記載は省略する。
【００９３】
透明基材が転写基材である場合、転写基材の材料は、上記透明基材の材料として記載した材料と同様とすることができるが、転写基材を容易に剥離するという観点から、所定の可撓性を有する樹脂材料を用いることが好ましい。
【００９４】
また、透明基材が転写基材である場合に、転写基材の剥離を容易に行うための剥離層を備えていても良い。なお、剥離層については、一般的に公知のものと同様とすることができるため、ここでの記載は省略する。
【００９５】
本発明の透過型スクリーンは、必要に応じて、観察者側から見てその中央が窪むような凹状の曲面、すなわち光源側に凸となる曲面を有するように湾曲して形成されていても良い。このように湾曲した透過型スクリーンを得る場合、通常、透過型スクリーンの支持体としての機能を有する透明基材を、曲面を有するように湾曲させた形状に成形し、その後、湾曲した透明基材上に、絵柄層や光拡散層、金属薄膜層を追従させて積層する方法を採用することができる。透明基材を、曲面を有するように湾曲させた形状に成形する方法としては、例えば、インサート成型法や、射出成型法等が挙げられる。なお、インサート成型法や射出成型法については、例えば、特開２０１２−０３２５１３号公報に開示された内容と同様とすることができるため、ここでの記載は省略する。
【００９６】
７．表面機能層
本発明の透過型スクリーンは、必要に応じて表面機能層を有していても良い。本発明においては、例えば、図６（ｂ）に示すように、表面機能層５を透過型スクリーン１００の観察側の最外層に配置することができる。
【００９７】
本発明における表面機能層が有する機能としては、例えば、ハードコート機能、防眩機能、反射防止機能、帯電防止機能、紫外線吸収機能、防汚機能等の少なくとも１つの機能を指す。本発明においては、表面機能層がハードコート機能を有する表面保護層であることが好ましい。
【００９８】
本発明における表面保護層は、所定の硬度を有することが好ましい。具体的な硬度としては、例えば、ＪＩＳ  Ｋ  ６００−５−４（１９９４）で規定される鉛筆硬度試験で「ＨＢ」以上の硬度であることが好ましい。表面保護層が所望のハードコート機能を発揮することができるからである。
【００９９】
本発明における表面保護層の材料としては、例えば、所望のハードコート機能を発揮し、本発明の透過型スクリーンを保護することができるような材料であることが好ましい。具体的な表面保護層の材料は、例えば、電離放射線硬化性樹脂または熱硬化性樹脂を含むことが好ましい。ここで、電離放射線硬化性樹脂は、少なくとも電離放射線硬化性樹脂モノマー、電離放射線硬化性樹脂オリゴマー、またはそれらの混合物を含む樹脂をいう。なお、本発明における表面保護層にその他の機能を付与する場合には、上記材料の他にも、表面保護層に適宜添加剤等を含有することができる。
【０１００】
本発明における表面保護層の厚みは、例えば、所望のハードコート機能を発揮できる程度の厚みであることが好ましく、本発明の透過型スクリーンの用途等に応じて適宜調整することができる。具体的な表面保護層の厚みとしては、例えば、０．０５μｍ以上２μｍ以下の範囲内とすることができる。
【０１０１】
８．その他
以下、透過型スクリーンの物性、および用途について説明する。
【０１０２】
（１）透過型スクリーンの物性
本発明の透過型スクリーンは、所定のヘイズ値を有することが好ましい。透過型スクリーンの具体的なヘイズ値としては、例えば、２０％以上９５％以下の範囲内であることが好ましく、中でも３０％以上６０％以下の範囲内であることが好ましい。透過型スクリーンのヘイズ値が上記下限を有することにより、映像光を投射した際に、鮮明な映像を表示することが可能となる。透過型スクリーンのヘイズ値は、例えば、光拡散層の厚みや、光拡散層に含まれる粒子状の光拡散材の含有量等に応じて適宜調整することができる。なお、透過型スクリーンのヘイズ値は、例えば、ＪＩＳ  Ｋ７１３６：２０００に準拠して測定することができる。
【０１０３】
本発明の透過型スクリーンは、所定の透明性を有することが好ましい。透過型スクリーンの具体的な透明性としては、例えば全光線透過率が６０％以上であることが好ましく、中でも８０％以上であることが好ましく、特に９０％以上であることが好ましい。なお、透過型スクリーンの全光線透過率は、例えば、ＪＩＳ  Ｋ７３６１−１：１９９７に準拠して測定することができる。
【０１０４】
（２）用途
本発明の透過型スクリーンには、例えば次のような用途が挙げられる。ショーウィンドウのガラス面内側またはガラス面外側に粘着層を介して貼り付けて用いる広告としての用途が挙げられる。
【０１０５】
（３）製造方法
本発明の透過型スクリーンを製造する方法は、上述したような所定の構成を有する透過型スクリーンを得ることができる方法であれば良く、一般的に公知の方法を採用することができるため、ここでの記載は省略する。
【０１０６】
Ｂ．背面投射型表示装置
本発明の背面投射型表示装置は、映像光を出射する映像光源と、上記映像光源からの上記映像光を透過して観察側に出射する上述の透過型スクリーンとを備えた装置である。
【０１０７】
本発明の背面投射型表示装置の図面の説明は、上述した図１（ａ）、（ｂ）と同様とすることができるため、ここでの記載は省略する。
【０１０８】
本発明の背面投射型表示装置は、上述した透過型スクリーンを有することにより、映像光により表示される映像の視認性、および絵柄層により表示される絵柄の視認性を両立することができるという効果を奏する。なお、本発明の効果についての詳細な説明は、上記「Ａ．透過型スクリーン」の項に記載した内容と同様とすることができるため、ここでの記載は省略する。
【０１０９】
以下、本発明の背面投射型表示装置について詳細に説明する。
【０１１０】
１．透過型スクリーン
本発明の透過型スクリーンは、上記「Ａ．透過型スクリーン」の項に記載した部材と同様である。すなわち、本発明における透過型スクリーンは、光源側から投射された映像光を観察側に透過して映像を表示する部材であって、絵柄を有する絵柄層と、上記絵柄層の光源側の面に配置された補色層と、光拡散機能を有する層とを備え、上記補色層は、上記絵柄層の絵柄が呈する色に対して補色となる色を呈する絵柄を有し、上記絵柄層の絵柄および上記補色層の絵柄は、平面視上重なるよう対応する部材である。
【０１１１】
本発明における透過型スクリーンを構成する各部材については、上記「Ａ．透過型スクリーン」の項に記載した内容と同様とすることができるため、ここでの記載は省略する。
【０１１２】
２．映像光源
本発明における映像光源は、映像光を出射する部材である。
【０１１３】
本発明における映像光源には、従来から公知である光源、例えばＬＥＤと称されるＬｉｇｈｔ  Ｅｍｉｔｔｉｎｇ  Ｄｉｏｄｅや、レーザーを利用したピコプロジェクタ等の小型の光源、ＤＭＤを用いた単管方式の光源等を用いることができる。なお、映像光源から出射される映像光は、透過型スクリーンに直接投射しても良く、鏡等で反射させてから透過型スクリーンに投射しても良い。
【０１１４】
本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【０１１５】
[実施例１]
（補色層の形成）
透明基材として、汎用アクリルフィルム（厚み７５μｍ、大きさ２００ｍｍ×３００ｍｍ）を準備した。透明基材の全面にインクジェットプリンター（ミマキエンジニアリング製ＵＪＦ０７１５１ＰＬＵＳ）により印刷して補色層を形成した。
【０１１６】
(光遮蔽層の形成)
次に、得られた補色層の透明基材とは反対側の全面に、樹脂に酸化チタンを分散させた光遮蔽層の構成材料をバーコート法により塗布し、厚み５μｍの光遮蔽層を形成した。得られた光遮蔽層は、白色を呈する部材であった。また、光遮蔽層の全光線透過率は９０％であった。
【０１１７】
(絵柄層の形成)
得られた光遮蔽層の補色層とは反対側の面に、インクジェットプリンターを用いて、補色層の絵柄と同様の絵柄を印刷して絵柄層を形成した。なお、絵柄層および補色層は、絵柄層の絵柄と補色層の絵柄とが平面視上重なるように配置した。
【０１１８】
（透過型スクリーンの形成）
このようにして、本発明の透過型スクリーンを形成した。
ここで、補色層の画像データは、絵柄層の画像データを汎用のグラフィックソフトでネガポジ反転処理することで生成した。
【０１１９】
（背面投射型表示装置の製造）
得られた透過型スクリーンの補色層側の面に、汎用のプロジェクタ（２０００ＡＮＳＩｌｕｍｅｎ）を配置し、映像光を投射した。
【０１２０】
[実施例２]
光遮蔽層の厚みを２０μｍとしたこと以外は、実施例１と同様にして背面投射型表示装置を製造した。
【０１２１】
[比較例１]
透明基材の一方の面に補色層を形成し、透明基材の他方の面に光遮蔽層および絵柄層を形成したこと以外は、実施例１と同様にして背面投射型表示装置を製造した。
【０１２２】
[比較例２]
透明基材として、汎用擦りガラス（厚み３ｍｍ）を用いたこと以外は、比較例１と同様にして背面投射型表示装置を製造した。
【０１２３】
（評価）
実施例１、２および比較例１、２で得られた背面投射型表示装置について評価した。具体的には、透過型スクリーンのプロジェクタとは反対側の面から明室内（７００ｌｘの明るさ）にて観察した。その結果、実施例１、２で得られた背面投射型表示装置の場合には、プロジェクタがＯＦＦのときは絵柄が室内光に照らされ、絵柄層による絵柄が視認できた。一方、プロジェクタをＯＮにし、画像を投影したところ、映像光が補色層を通過することで色補正され、絵柄層上に結像した映像光は色ずれなく正しく表示することができた。これに対し、比較例１で得られた背面投射型表示装置の場合には、透過型スクリーンに対する垂直方向から６０℃程度斜めの方向から観察した際に、絵柄層と補色層とで位置ずれが生じ、色がにじんだように見え、視認性が低下した。また、比較例２で得られた背面投射型表示装置の場合には、透過型スクリーンに対する垂直方向から３０℃程度斜めの方向から観察した際に、絵柄層と補色層とで位置ずれが生じ、色がにじんだように見え、視認性が低下した。
【符号の説明】
【０１２４】
１    …  絵柄層
２    …  補色層
３    …  光遮蔽層
４    …  透明基材
１０  …  映像光源
２０  …  観察者
１００…  透過型スクリーン
Ｌ１０  …  映像光
Ｌ２０  …  外光
【図１】
2018189769.tif 000003
【図２】
2018189769.tif 000004
【図３】
2018189769.tif 000005
【図４】
2018189769.tif 000006
【図５】
2018189769.tif 000007
【図６】
2018189769.tif 000008
【図７】
2018189769.tif 000009